(57)【要約】【課題】本発明は、緊急連絡先等のグローバルＡＩＰアドレスの相手先にに接続するＩＰアダプタ装置、ＩＰ電話装置及びＩＰ電話システムに関する。【解決手段】ＩＰ電話システム１は、ＩＰ電話アダプタＩＰＡＤＰ１、ＩＰＡＤＰ２が、ＩＰネットワークＩＰＮＥＴ上の最寄りの緊急連絡先ＩＰ電話ＫＩＰＰｈＳのグローバルＩＰアドレスと当該相手先の電話番号を対応させてＲＡＭ１３に記憶し、電話装置Ｐｈ１、Ｐｈ２でＲＡＭ１３に記憶されている相手先の電話番号が入力されると、当該電話番号に対応してＲＡＭ１３に記憶されているグローバルＩＰアドレスに対して接続要求を行う。したがって、グローバルＩＰアドレスの相手先に対して直接接続することができ、利用性を向上させることができる。【選択図】          図１
2006157160.tif 000002
【特許請求の範囲】
【請求項１】
電話装置とＩＰネットワークとの間に接続されて当該電話装置との間で音声データを交換して、前記電話装置からの音声データをパケット化して前記ＩＰネットワークに送信するとともに前記ＩＰネットワークからのパケットデータを音声データに変換して前記電話装置に渡すＩＰ電話アダプタ装置であって、前記ＩＰネットワーク上の相手先のグローバルＩＰアドレスと当該相手先の電話番号とを対応させて記憶手段に記憶し、前記電話装置で当該記憶手段に記憶されている電話番号が入力されると、当該電話番号に対応して当該記憶手段に記憶されている前記グローバルＩＰアドレスに対して接続要求を行うことを特徴とするＩＰ電話アダプタ装置。
【請求項２】
前記記憶手段に記憶されている前記相手先の電話番号及びグローバルＩＰアドレスは、最寄りの緊急連絡先の電話番号及びグローバルＩＰアドレスであることを特徴とする請求項１記載のＩＰ電話アダプタ装置。
【請求項３】
前記ＩＰ電話アダプタ装置は、前記記憶手段に記憶される前記相手先の電話番号及びグローバルＩＰアドレスが当該ＩＰ電話アダプタ装置の接続されている電話事業者装置から送信され、当該送信されてきた前記相手先の電話番号及びグローバルＩＰアドレスを前記記憶手段に自動登録することを特徴とする請求項１または請求項２記載のＩＰ電話アダプタ装置。
【請求項４】
ＩＰネットワークに接続されて音声データをパケット化して当該ＩＰネットワークに送信するとともに当該ＩＰネットワークからのパケットデータを音声データに変換するＩＰ電話アダプタ装置を内蔵するＩＰ電話装置であって、前記ＩＰ電話アダプタ装置が、請求項１から請求項３のいずれかに記載のＩＰ電話アダプタ装置であることを特徴とするＩＰ電話装置。
【請求項５】
ＩＰネットワークに接続されて音声データをパケット化して当該ＩＰネットワークに送信するとともに当該ＩＰネットワークからのパケットデータを音声データに変換するＩＰ電話アダプタ装置を内蔵あるいは外付けで備える複数のＩＰ電話装置が、当該各ＩＰ電話装置と前記ＩＰネットワークとの接続処理を行う電話事業者装置に接続され、当該電話事業者装置が、当該接続されている前記ＩＰ電話装置同士の接続及び当該接続されている前記ＩＰ電話装置と前記ＩＰネットワークに接続されている他の電話事業者装置を介して他のＩＰ電話装置及び前記ＩＰネットワークに直接接続されていてグローバルＩＰアドレスを有するＩＰ電話装置との接続を行うＩＰ電話システムであって、前記電話事業者装置に接続されている前記ＩＰ電話装置の前記ＩＰ電話アダプタ装置が、前記ＩＰネットワークに直接接続されているＩＰ電話装置のグローバルＩＰアドレスを当該ＩＰ電話装置のダイヤル番号と対応させて記憶手段に記憶し、当該グローバルＩＰアドレスを記憶する記憶手段を備えたＩＰ電話アダプタの電話装置で、当該記憶手段に記憶されている電話番号が入力されると、当該電話番号に対応して前記記憶手段に記憶されている前記グローバルＩＰアドレスに対して接続要求を行うことを特徴とするＩＰ電話システム。
【請求項６】
前記ＩＰ電話システムは、前記記憶手段に記憶されている前記ＩＰネットワークに直接接続されているＩＰ電話装置の前記電話番号及び前記グローバルＩＰアドレスが、最寄りの緊急連絡先の電話番号及びグローバルＩＰアドレスであることを特徴とする請求項５記載のＩＰ電話システム。
【請求項７】
前記ＩＰ電話システムは、前記ＩＰネットワークに直接接続されているＩＰ電話装置の前記電話番号及び前記グローバルＩＰアドレスが前記電話事業装置から当該電話事業装置に属する前記ＩＰ電話装置に送信され、当該ＩＰ電話装置の前記ＩＰアダプタ装置が、当該送信されてきた前記ＩＰネットワークに直接接続されているＩＰ電話装置の前記電話番号及び前記グローバルＩＰアドレスを前記記憶手段に自動登録することを特徴とする請求項５または請求項６記載のＩＰ電話システム。
【発明の詳細な説明】
【技術分野】
【０００１】
本発明は、ＩＰアダプタ装置、ＩＰ電話装置及びＩＰ電話システムに関し、詳細には、緊急連絡先等のグローバルＡＩＰアドレスの相手先にに接続可能なＩＰアダプタ装置、ＩＰ電話装置及びＩＰ電話システムに関する。
【背景技術】
【０００２】
ＡＤＳＬ（Asymmetric Digital Subscriber Line）、ＦＴＴＨ（Fiber To The Home）、ケーブルネットを使用するブロードバンドサービスが普及し、それに伴いＩＰ（Internet Protocol）ネットワークを使用して、音声を流すＩＰ（Internet Protocol）電話が普及しつつある（特許文献１等参照）。
【０００３】
ＩＰ電話は、ＶｏＩＰ（Voice over IP ）と呼ばれるＩＰネットワーク上で音声通話を実現する技術を使用しており、現在ではＨ．３２３と呼ばれる通信規約がＩＴＵ−Ｔで標準勧告されている。また、ＩＥＴＦ（Internet Engineering Task Force）によりＳＩＰ（Session Initiation Protocol）と呼ばれる別のプロトコルを規定している。
【０００４】
ＩＰ電話は、公衆回線を使用する電話に比較して、通信費が安価であり、また、ＩＰ電話アダプタを使用することで、従来の公衆回線用の電話を使用することができる。
【０００５】
ＩＰ電話アダプタは、ＶｏＩＰ機能を搭載し、ＩＰネットワークを用いた音声通話を実現するとともに、公衆回線を使用した電話を切り換えて使用することができ、これらの切換は電話機から行うことができる。
【０００６】
ＩＰ電話に相手からの電話が着信するためには、ＩＰ電話に電話番号がなければならないが、近年、総務省がＩＰ電話専用番号をプロバイダ等に割り当てを開始した。ＩＰ電話専用番号は、０５０から始まる１１桁の電話番号で、ＩＰ電話サービスを提供するプロバイダは、０５０に続く４桁の番号が事業者識別番号として割り当てられ、事業者識別番号に続く４桁の番号がユーザに割り当てられる。また、多くのユーザを持つプロバイダには複数の事業者識別番号が割り当てられる。
【０００７】
ただし、現在のサービスでは、０５０番号を持つＩＰ電話同士でも加入しているプロバイダ業者が異なると、ＩＰ電話で通話できない場合があり、プロバイダ間の協力関係が成立している場合は、プロバイダ業者が異なってもＩＰ電話で通話できる。
【０００８】
すなわち、ＩＰ電話には、プライベートＩＰアドレスが代わり当てられており、グローバルＩＰアドレスが割り当てられておらず、また、相手先ＩＰアドレスとしてグローバルＩＰアドレスの登録されているＩＰ電話が無い。
【０００９】
このように、ＩＰ電話は、通信費が安価ではあるが、１１０番や１１９番等の緊急連絡先が一般電話回線に接続されているため、ＩＰ電話から直接緊急連絡先に接続することができない。
【００１０】
そして、従来、ＩＰ電話を、ＩＰネットワークに接続するとともに、ＩＰ電話受信／発信装置を介して一般電話回線に接続して、ＩＰ電話からの接続要求に緊急連絡先のＩＰアドレス含まれていると、ＩＰ電話受信／発信装置から一般電話回線を介して緊急連絡先に接続するインターネット電話システムおよびその緊急ライン接続方法が提案されている（特許文献２参照）。
【００１１】
【特許文献１】特開２００３−２１８９８７号公報
【特許文献２】特許第３１３９６２３号公報
【発明の開示】
【発明が解決しようとする課題】
【００１２】
しかしながら、上記特許文献２記載の従来技術にあっては、ＩＰ電話装置に、ＩＰネットワークの他に一般電話回線を接続することで、ＩＰ電話装置から緊急連絡先に接続できるようにしているため、コストが高くつくだけでなく、一般回線の接続されていない場合には、緊急連絡先に接続することができず、緊急連絡をすることができないという問題があった。
【００１３】
また、従来技術にあっては、ＩＰ電話は、ＩＰ電話事業者であるプロバイダの提供するプライベートネットワークに接続され、相手先ＩＰアドレスとしてグローバルＩＰアドレスの登録されているＩＰ電話が無かったため、グローバルＩＰアドレスを備えた相手先に直接接続要求することができないという問題があった。
【００１４】
そこで、本発明は、グローバルＩＰアドレスを登録することで、当該グローバルＩＰアドレスの相手先、例えば、１１０番や１１９番等の最寄りの緊急連絡先に直接接続要求することができ、利用性の良好なＩＰアダプタ装置、このＩＰアダプタ装置を備えたＩＰ電話装置及びＩＰ電話システムを提供することを目的としている。
【課題を解決するための手段】
【００１５】
請求項１記載の発明のＩＰアダプタ装置は、電話装置とＩＰネットワークとの間に接続されて当該電話装置との間で音声データを交換して、前記電話装置からの音声データをパケット化して前記ＩＰネットワークに送信するとともに前記ＩＰネットワークからのパケットデータを音声データに変換して前記電話装置に渡すＩＰ電話アダプタ装置であって、前記ＩＰネットワーク上の相手先のグローバルＩＰアドレスと当該相手先の電話番号とを対応させて記憶手段に記憶し、前記電話装置で当該記憶手段に記憶されている電話番号が入力されると、当該電話番号に対応して当該記憶手段に記憶されている前記グローバルＩＰアドレスに対して接続要求を行うことにより、上記目的を達成している。
【００１６】
この場合、例えば、請求項２に記載するように、前記記憶手段に記憶されている前記相手先の電話番号及びグローバルＩＰアドレスは、最寄りの緊急連絡先の電話番号及びグローバルＩＰアドレスであってもよい。
【００１７】
また、例えば、請求項３に記載するように、前記ＩＰ電話アダプタ装置は、前記記憶手段に記憶される前記相手先の電話番号及びグローバルＩＰアドレスが当該ＩＰ電話アダプタ装置の接続されている電話事業者装置から送信され、当該送信されてきた前記相手先の電話番号及びグローバルＩＰアドレスを前記記憶手段に自動登録するものであってもよい。
【００１８】
請求項４記載の発明のＩＰ電話装置は、ＩＰネットワークに接続されて音声データをパケット化して当該ＩＰネットワークに送信するとともに当該ＩＰネットワークからのパケットデータを音声データに変換するＩＰ電話アダプタ装置を内蔵するＩＰ電話装置であって、前記ＩＰ電話アダプタ装置が、請求項１から請求項３のいずれかに記載のＩＰ電話アダプタ装置であることにより、上記目的を達成している。
【００１９】
請求項５記載の発明のＩＰ電話システムは、ＩＰネットワークに接続されて音声データをパケット化して当該ＩＰネットワークに送信するとともに当該ＩＰネットワークからのパケットデータを音声データに変換するＩＰ電話アダプタ装置を内蔵あるいは外付けで備える複数のＩＰ電話装置が、当該各ＩＰ電話装置と前記ＩＰネットワークとの接続処理を行う電話事業者装置に接続され、当該電話事業者装置が、当該接続されている前記ＩＰ電話装置同士の接続及び当該接続されている前記ＩＰ電話装置と前記ＩＰネットワークに接続されている他の電話事業者装置を介して他のＩＰ電話装置及び前記ＩＰネットワークに直接接続されていてグローバルＩＰアドレスを有するＩＰ電話装置との接続を行うＩＰ電話システムであって、前記電話事業者装置に接続されている前記ＩＰ電話装置の前記ＩＰ電話アダプタ装置が、前記ＩＰネットワークに直接接続されているＩＰ電話装置のグローバルＩＰアドレスを当該ＩＰ電話装置のダイヤル番号と対応させて記憶手段に記憶し、当該グローバルＩＰアドレスを記憶する記憶手段を備えたＩＰ電話アダプタの電話装置で、当該記憶手段に記憶されている電話番号が入力されると、当該電話番号に対応して前記記憶手段に記憶されている前記グローバルＩＰアドレスに対して接続要求を行うことにより、上記目的を達成している。
【００２０】
この場合、例えば、請求項６に記載するように、前記ＩＰ電話システムは、前記記憶手段に記憶されている前記ＩＰネットワークに直接接続されているＩＰ電話装置の前記電話番号及び前記グローバルＩＰアドレスが、最寄りの緊急連絡先の電話番号及びグローバルＩＰアドレスであってもよい。
【００２１】
また、例えば、請求項７に記載するように、前記ＩＰ電話システムは、前記ＩＰネットワークに直接接続されているＩＰ電話装置の前記電話番号及び前記グローバルＩＰアドレスが前記電話事業装置から当該電話事業装置に属する前記ＩＰ電話装置に送信され、当該ＩＰ電話装置の前記ＩＰアダプタ装置が、当該送信されてきた前記ＩＰネットワークに直接接続されているＩＰ電話装置の前記電話番号及び前記グローバルＩＰアドレスを前記記憶手段に自動登録するものであってもよい。
【発明の効果】
【００２２】
本発明のＩＰアダプタ装置によれば、ＩＰネットワーク上のグローバルＩＰアドレスと当該相手先の電話番号とを対応させて記憶手段に記憶し、電話装置で記憶手段に記憶されている電話番号が入力されると、当該電話番号に対応して当該記憶手段に記憶されているグローバルＩＰアドレスに対して接続要求を行うことにより、グローバルＩＰアドレスの相手先、例えば、１１０番や１１９番等の緊急連絡先のうち最寄りの緊急連絡先に対して直接接続要求し、利用性を向上させることができる。
【００２３】
また、本発明のＩＰ電話装置によれば、ＩＰネットワーク上のグローバルＩＰアドレスと当該相手先の電話番号とを対応させて記憶手段に記憶し、記憶手段に記憶されている電話番号が入力されると、当該電話番号に対応して当該記憶手段に記憶されているグローバルＩＰアドレスに対して接続要求を行うＩＰアダプタ装置を内蔵することにより、ＩＰ電話装置からグローバルＩＰアドレスの相手先、例えば、１１０番や１１９番等の緊急連絡先のうち最寄りの緊急連絡先に対して直接接続要求し、利用性を向上させることができる。
【００２４】
さらに、本発明のＩＰ電話システムによれば、電話事業者装置に接続されているＩＰ電話装置のＩＰ電話アダプタ装置の記憶手段に、ＩＰネットワークに直接接続されているＩＰ電話装置のグローバルＩＰアドレスを当該ＩＰ電話装置のダイヤル番号と対応させて記憶させ、当該記憶手段に記憶されている電話番号が入力されると、当該電話番号に対応して記憶手段に記憶されているグローバルＩＰアドレスに対して接続要求を行うことにより、ＩＰ電話装置からグローバルＩＰアドレスの相手先、例えば、１１０番や１１９番等の緊急連絡先のうち最寄りの緊急連絡先に対して直接接続要求し、利用性を向上させることができる。
【発明を実施するための最良の形態】
【００２５】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２６】
図１〜図３は、本発明のＩＰアダプタ装置、ＩＰ電話装置及びＩＰ電話システムの一実施例を示す図であり、図１は、本発明のＩＰアダプタ装置、ＩＰ電話装置及びＩＰ電話システムの一実施例を適用したＩＰ電話システム１のシステム構成図である。
【００２７】
図１において、ＩＰ電話システム１は、ＩＰネットワークＩＰＮＥＴに複数のＩＰ電話事業者ＩＰＪ１、ＩＰＪ２が接続されているとともに、ゲートウェイＧＷを介して公衆電話網ＰＳＴＮが接続されている。
【００２８】
各ＩＰ電話事業者ＩＰＪ１、ＩＰＪ２には、それぞれ複数のＩＰ電話ＩＰＰｈ１、ＩＰＰｈ２がＦＴＴＨ、ケーブルネット等の専用線ＩＰＬ１、ＩＰＬ２を介して接続されており、各ＩＰ電話ＩＰＰｈ１、ＩＰＰｈ２は、ＩＰ電話アダプタＩＰＡＤＰ１、ＩＰＡＤＰ２と通常の電話装置Ｐｈ１、Ｐｈ２で構成されていたり、図示しないが、ＩＰ電話アダプタを内蔵したＩＰ電話装置で構成されている。
【００２９】
また、ゲートウェイＧＷを介してＩＰネットワークＩＰＮＥＴに接続されている公衆電話網ＰＳＴＮには、複数の一般加入電話装置ＰＰｈが接続されている。
【００３０】
そして、ＩＰネットワークＩＰＮＥＴ及び公衆電話網ＰＳＴＮには、最寄りの緊急連絡先ＩＰ電話ＫＩＰＰｈＳが接続されており、最寄りの緊急連絡先ＩＰ電話ＫＩＰＰｈＳは、ＩＰ電話アダプタＫＩＰＡＤＰと通常電話ＫＰｈ及びゲートウェイＫＧＷとＩＰ電話装置ＫＩＰＰｈで構成されている。なお、最寄りの緊急連絡先ＩＰ電話ＫＩＰＰｈＳとしては、上記構成に限るものではなく、例えば、ＩＰ電話装置ＫＩＰＰｈを備えることなく、ゲートウェイＧＷがＩＰ電話アダプタＫＩＰＡＤＰに接続されてもよい。
【００３１】
上記ＩＰ電話アダプタＩＰＡＤＰ１、２及びＩＰ電話アダプタＫＩＰＡＤＰは、一般的に、図２に示すように構成されており、電話インターフェース１１、ＣＰＵ（Central Processing Unit ）１２、ＲＡＭ（Random Access Memory）１３、ＲＯＭ（Read Only Memory）１４及び通信部１５等を備えており、各部は、バスライン１６で接続されている。
【００３２】
電話インターフェース１１には、通常のアナログの電話装置Ｐｈ１、Ｐｈ２、ＫＰｎが接続され、電話インターフェース１１は、信号のＡ／Ｄ変換及びＤ／Ａ変換を行って電話装置Ｐｈ１、Ｐｈ２、ＫＰｎとの間の信号の授受を行う。
【００３３】
通信部１５には、専用線ＩＰＬ１、ＩＰＬ２またはＩＰネットワークＩＰＮＥＴが接続され、通信部１５は、専用線ＩＰＬ１、ＩＰＬ２またはＩＰネットワークＩＰＮＥＴを介した通信を行う。
【００３４】
ＲＯＭ１４は、ＩＰ電話アダプタＩＰＡＤＰ１、ＩＰＡＤＰ２、ＫＩＰＡＤＰとして野基本プログラムと必要なデータが格納されているとともに、グローバルＩＰアドレスを有した相手先、例えば、１１０番、１１９番等の緊急連絡先のダイヤル番号が登録されている。
【００３５】
ＲＡＭ１３は、ＣＰＵ１２のワークメモリとして利用されるとともに、ＩＰ電話アダプタＩＰＡＤＰ１、ＩＰＡＤＰ２のＲＡＭ１３では、ＲＯＭ１４に登録されているグローバルＩＰアドレスを有した相手先として、例えば、１１０番、１１９番等の緊急連絡先のダイヤル番号が登録されているときには、当該緊急連絡先であって最寄りの緊急連絡先の最寄りの緊急連絡先ＩＰ電話ＫＩＰＰｈＳのグローバルＩＰアドレスが登録される。
【００３６】
このＩＰ電話アダプタＩＰＡＤＰ１、ＩＰＡＤＰ２のＲＡＭ１３への最寄りの緊急連絡先ＩＰ電話ＫＩＰＰｈＳのグローバルＩＰアドレスの登録は、ＩＰ電話ＩＰＰｈ１、ＩＰＰｈ２の所有者が当該グローバルＩＰアドレスを知っているときには、電話装置Ｐｈ１、Ｐｈ２を使用してグローバルＩＰアドレスの登録モードとして、当該最寄りの緊急連絡先ＩＰ電話ＫＩＰＰｈＳのグローバルＩＰアドレスを入力することで、ＲＡＭ１３に登録してもよいが、本実施例のＩＰ電話アダプタＩＰＡＤＰ１、ＩＰＡＤＰ２では、最寄りの緊急連絡先ＩＰ電話ＫＩＰＰｈＳからＩＰ電話事業者ＩＰＪ１、ＩＰＪ２に対して自己のＩＰ電話ＫＩＰＰｈＳに割り当てられているグローバルＩＰアドレスを通知して、各ＩＰ電話事業者ＩＰＪ１、ＩＰＪ２が、当該ＩＰ電話事業者ＩＰＪ１、ＩＰＪ２に接続されているＩＰ電話ＩＰＰｈ１、ＩＰＰｈ２に当該最寄りの緊急連絡先ＩＰ電話ＫＩＰＰｈＳのグローバルＩＰアドレスを送信し、各ＩＰ電話ＩＰＰｈ１、ＩＰＰｈ２のＩＰ電話アダプタＩＰＡＤＰ１、ＩＰＡＤＰのＣＰＵ１２が送信されてきたグローバルＩＰアドレスをＲＡＭ１３に自動登録する。なお、最寄りの緊急連絡先ＩＰ電話ＫＩＰＰｈＳは、上記グローバルＩＰアドレスと公衆電話網ＰＳＴＮ上の電話番号とゲートウェイＧＷに送信し、ゲートウェイＧＷが当該グローバルＩＰアドレスと電話番号を登録して、ＩＰアドレスと電話番号の変換に使用する。
【００３７】
ＣＰＵ１２は、上記ＲＯＭ１４内のプログラムに基づいてＩＰ電話アダプタＩＰＡＤＰ１、ＩＰＡＤＰ２としての処理を実行するとともに、後述する最寄りの緊急連絡先ＩＰ電話処理を実行する。
【００３８】
そして、上記ＩＰ電話事業者ＩＰＪ１、ＩＰＪ２は、各ＩＰ電話事業者ＩＰＪ１、ＩＰＪ２の専用線ＩＰＬ１、ＩＰＬ２に接続されたＩＰ電話ＩＰＰｈ１、ＩＰＰｈ２とＩＰネットワークＩＰＮＥＴを介して接続された相手先との接続を行う。
【００３９】
ゲートウェイＧＷは、音声のＩＰパケット化とＩＰパケットの音声化を行い、ＩＰネットワークＩＰＮＥＴと公衆電話網ＰＳＴＮの接続を可能とする。
【００４０】
最寄りの緊急連絡先ＩＰ電話ＫＩＰＰｈＳのゲートウェイＫＧＷは、音声のＩＰパケット化とＩＰパケットの音声化を行い、ＩＰ電話ＫＩＰＰｈと公衆回線網ＰＳＴＮの接続を可能とする。
【００４１】
このようなＩＰ電話システム１は、例えば、ＩＰ電話ＩＰＰｈ１からＩＰ電話ＩＰＰｈ２に電話するときには、電話装置Ｐｈ１でＩＰ電話ＩＰＰｈ２の電話番号が入力されると、相手先のＩＰ電話ＩＰＰｈ２に繋がって通話を行う。
【００４２】
このときの通話内容は、電話装置Ｐｈ１からアナログ音声としてＩＰ電話アダプタＩＰＡＤＰ１に送信されて、ＩＰ電話アダプタＩＰＡＤＰ１が、電話装置Ｐｈ１からのアナログ音声信号をディジタル信号に変換（音声符号化）してＩＰパケットに詰め込み、専用回線ＩＰＬ１を介してＩＰ電話事業者ＩＰＪ１に送信する。
【００４３】
ＩＰ電話事業者ＩＰＪ１は、ＩＰ電話アダプタＩＰＡＤＰ１でアナログ信号から変換された音声パケットを、ＩＰネットワークＩＰＮＥＴ上をルータを経由して流して、相手先のＩＰ電話ＩＰＰｈ２のＩＰ電話事業者ＩＰＪ２に送り、ＩＰ電話事業者ＩＰＪ２が当該相手先のＩＰ電話ＩＰＰｈ２に専用回線ＩＰＬ２を介して音声パケットを送信する。
【００４４】
相手先のＩＰ電話ＩＰＰｈ２は、ＩＰ電話事業者ＩＰＪ２から送られてきた音声パケットを、ＩＰ電話アダプタＩＰＡＤＰ２でアナログ音声に変換して電話装置Ｐｈ２に送り、電話装置Ｐｈ２で音声出力する。
【００４５】
上記処理を、ＩＰ電話ＩＰＰｈ１とＩＰ電話ＩＰＰｈ２との間で、ＩＰネットワークＩＰＮＥＴ及びＩＰ電話事業者ＩＰＪ１、ＩＰＪ２を介して行うことで、ＩＰ電話通話が行われる。
【００４６】
また、ＩＰ電話ＩＰＰｈ１からの電話の相手先が一般加入電話装置ＰＰｈであると、ＩＰ電話事業者ＩＰＪ１からＩＰネットワークＩＰＮＥＴに送られた音声パケットをゲートウェイＧＷがアナログ音声に変換し、公衆電話網ＰＳＴＮを経由して相手先の一般加入電話ＰＰｈに送って、通常電話の会話が行われる。
【００４７】
次に、本実施例の作用を説明する。本実施例のＩＰ電話システム１は、ＩＰ電話ＩＰＰｈ１、ＩＰＰｈ２から最寄りの緊急連絡先ＩＰ電話ＫＩＰＰｈＳに直接電話することができる。
【００４８】
すなわち、ＩＰ電話ＩＰＰｈ１、ＩＰＰｈ２から緊急連絡先に電話するときには、電話装置Ｐｈ１、Ｐｈ２から当該緊急連絡先の電話番号、例えば、１１０番や１１９番等をダイヤルするだけで、当該緊急連絡先電話番号に対応する最寄りの緊急連絡先ＩＰ電話ＫＩＰＰｈＳに接続することができる。
【００４９】
いま、ＩＰ電話ＩＰＰｈ１から最寄りの緊急連絡先ＩＰ電話ＫＩＰＰｈＳに連絡するものとする。ＩＰ電話ＩＰＰｈ１は、電話装置Ｐｈ１で緊急連絡先の電話番号がダイヤルされると、電話装置Ｐｈ１からダイヤル番号のアナログ信号をＩＰ電話アダプタＩＰＡＤＰ１に出力し、ＩＰ電話アダプタＩＰＡＤＰ１のＣＰＵ１２が、電話装置Ｐｈ１からダイヤル番号が入力されると、当該ダイヤル番号が予めＲＯＭ１４に登録されている緊急連絡先のダイヤル番号と一致するかチェックする。ＣＰＵ１２は、電話装置Ｐｈ１で入力されたダイヤル番号がＲＯＭ１４に登録されている緊急連絡先のダイヤル番号と一致すると、当該緊急連絡先のダイヤル番号に対応して予めＲＡＭ１３に登録されている当該緊急連絡先であって最寄りの緊急連絡先の緊急連絡先ＩＰ電話ＫＩＰＰｈＳのグローバルＩＰアドレスをＲＡＭ１３から読み出してＩＰ電話事業者ＩＰＪ１に対して当該グローバルＩＰアドレス宛の発信要求を行う。
【００５０】
ＩＰ電話事業者ＩＰＪ１は、発信要求があると、ＩＰネットワークＩＰＮＥＴを介して当該グローバルＩＰアドレス宛に発信して、ＩＰネットワークＩＰＮＥＴに接続されている最寄りの緊急連絡先ＩＰ電話ＫＩＰＰｈＳに接続する。最寄りの緊急連絡先ＩＰ電話ＫＩＰＰｈＳは、そのＩＰ電話アダプタＫＩＰＡＤＰが、自己宛のグローバルＩＰアドレスを受信すると、ＩＰ電話事業者ＩＰＪ１を介してＩＰ電話ＩＰＰｈ１のＩＰ電話アダプタＩＰＡＤＰ１との間で接続を行って、上記ＩＰ電話ＩＰＰｈ２の場合と同様に、電話装置Ｐｈ１と通常電話ＫＰｈとの間での会話を可能とする。
【００５１】
また、最寄りの緊急連絡先ＩＰ電話ＫＩＰＰｈＳは、公衆回線網ＰＳＴＮに接続された一般加入電話装置ＰＰｈから緊急連絡先の電話番号がダイヤルされると、公衆回線網ＰＳＴＮを介してゲートウェイＫＧＷが着信を行って、ＩＰ電話ＫＩＰＰｈに接続したり、最寄りの緊急連絡先ＩＰ電話ＫＩＰＰｈＳがＩＰ電話ＫＩＰＰｈではなく、ゲートウェイＫＧＷ及びＩＰ電話アダプタＫＩＰＡＤＰと通常電話ＫＰｈのみを備えているときには、ＩＰ電話アダプタＫＩＰＡＤＰに接続する。
【００５２】
そして、ＩＰ電話ＩＰＰｈ１、ＩＰＰｈ２のＩＰ電話アダプタＩＰＡＤＰ１、ＩＰＡＤＰ２のＲＡＭ１３への最寄りの緊急連絡先ＩＰ電話ＫＩＰＰｈＳのグローバルＩＰアドレスの登録は、ＩＰ電話事業者ＩＰＪ１、ＩＰＪ２からの送信を受けて自動的に登録することができる。
【００５３】
すなわち、最寄りの緊急連絡先ＩＰ電話ＫＩＰＰｈＳは、ＩＰ電話事業者ＩＰＪ１、ＩＰＪ２に対して自己のＩＰ電話ＫＩＰＰｈＳに割り当てられているグローバルＩＰアドレスを通知し、各ＩＰ電話事業者ＩＰＪ１、ＩＰＪ２が、当該ＩＰ電話事業者ＩＰＪ１、ＩＰＪ２に接続されているＩＰ電話ＩＰＰｈ１、ＩＰＰｈ２に当該最寄りの緊急連絡先ＩＰ電話ＫＩＰＰｈＳのグローバルＩＰアドレスを送信する。
【００５４】
そして、各ＩＰ電話ＩＰＰｈ１、ＩＰＰｈ２のＩＰ電話アダプタＩＰＡＤＰ１、ＩＰＡＤＰは、図３に示すように、ＩＰ電話事業者ＩＰＪ１、ＩＰＪ２から最寄りの緊急連絡先ＩＰ電話ＫＩＰＰｈＳのグローバルＩＰアドレスが送信されてくると、通信部１５が、当該グローバルＩＰアドレスを受け取り（ステップＳ１０１）、ＣＰＵ１２が、当該通信部１５の受け取ったグローバルＩＰアドレスをＲＯＭ１４に登録されている当該最寄りの緊急連絡先ＩＰ電話ＫＩＰＰｈＳに対応する緊急連絡先のダイヤル番号に対応させてＲＡＭ１３に登録する（ステップＳ１０２）。
【００５５】
なお、ＩＰ電話アダプタＩＰＡＤＰ１、ＩＰＡＤＰ２のＲＡＭ１３への最寄りの緊急連絡先ＩＰ電話ＫＩＰＰｈＳのグローバルＩＰアドレスの登録は、ＩＰ電話ＩＰＰｈ１、ＩＰＰｈ２の所有者が当該グローバルＩＰアドレスを知っているときには、上述のように、電話装置Ｐｈ１、Ｐｈ２を使用してグローバルＩＰアドレスの登録モードとして、当該最寄りの緊急連絡先ＩＰ電話ＫＩＰＰｈＳのグローバルＩＰアドレスを手入力することで、ＲＡＭ１３に登録してもよい。
【００５６】
その後、ＩＰ電話ＩＰＰｈ１、ＩＰＰｈ２は、上述のように、電話装置Ｐｈ１、Ｐｈ２で、緊急連絡先のダイヤル番号がダイヤルされると、当該緊急連絡先ダイヤル番号に対応させてＲＡＭ１３に登録されているグローバルＩＰアドレスを持ちいてＩＰ電話事業者ＩＰＪ１、ＩＰＪ２に接続要求を行うことで、上述のように、ＩＰ電話ＩＰＰｈ１、ＩＰＰｈ２から直接最寄りの緊急連絡先ＩＰ電話ＫＩＰＰｈＳに電話することができる（ステップＳ１０３）。
【００５７】
このように、本実施例のＩＰ電話システム１は、ＩＰ電話アダプタＩＰＡＤＰ１、ＩＰＡＤＰ２が、ＩＰネットワークＩＰＮＥＴ上の相手先である最寄りの緊急連絡先ＩＰ電話ＫＩＰＰｈＳのグローバルＩＰアドレスと当該相手先の電話番号を対応させて記憶手段としてのＲＡＭ１３に記憶し、電話装置Ｐｈ１、Ｐｈ２でＲＡＭ１３に記憶されている相手先の電話番号が入力されると、当該電話番号に対応してＲＡＭ１３に記憶されているグローバルＩＰアドレスに対して接続要求を行う。
【００５８】
したがって、グローバルＩＰアドレスの相手先に対して直接接続することができ、利用性を向上させることができる。
【００５９】
また、本実施例のＩＰ電話システム１は、最寄りの緊急連絡先ＩＰ電話ＫＩＰＰｈＳの電話番号及びグローバルＩＰアドレスをＲＡＭ１３に登録している。
【００６０】
したがって、１１０番や１１９番等の緊急連絡先のうち最寄りの緊急連絡先に対してＩＰ電話ＩＰＰｈ１、ＩＰＰｈ２から直接接続することができ、より一層利用性を向上させることができる。
【００６１】
さらに、本実施例のＩＰ電話システム１は、ＩＰ電話事業者ＩＰＪ１、ＩＰＪ２が、自己の管理するＩＰ電話ＩＰＰｈ１、ＩＰＰｈ２に対して、最寄りの緊急連絡先ＩＰ電話ＫＩＰＰｈＳ等の相手先の電話番号及びグローバルＩＰアドレスを送信して、当該ＩＰ電話ＩＰＰｈ１、ＩＰＰｈ２のＩＰ電話アダプタＩＰＡＤＰ１、ＩＰＡＤＰ２が当該送信されてきた相手先の電話番号及びグローバルＩＰアドレスをＲＡＭ１３に自動登録する。
【００６２】
したがって、最寄りの緊急連絡先ＩＰ電話ＫＩＰＰｈＳ等のグローバルＩＰアドレスの相手先の情報を簡単かつ確実に登録することができ、より一層利用性を向上させることができる。
【産業上の利用可能性】
【００６３】
本発明は、直接最寄りの緊急連絡先ＩＰ電話に接続することのできるＩＰアダプタ装置ＩＰアダプタ装置を内蔵したＩＰ電話装置及びこれらのＩＰ電話装置やＩＰアダプタ装置を用いたＩＰ電話システム一般に適用することができる。
【図面の簡単な説明】
【００６４】
【図１】本発明のＩＰアダプタ装置、ＩＰ電話装置及びＩＰ電話システムの一実施例を適用したＩＰ電話システムのシステム構成図。
【図２】図１のＩＰ電話アダプタのブロック構成図。
【図３】図２のＩＰ電話アダプタによる最寄りの緊急連絡先ＩＰ電話のグローバルＩＰアドレスの登録処理と最寄りの緊急連絡先ＩＰ電話への接続処理を示すフローチャート。
【符号の説明】
【００６５】
１  ＩＰ電話システム
ＩＰＮＥＴ  ＩＰネットワーク
ＩＰＪ１、ＩＰＪ２  ＩＰ電話事業者
ＩＰＰｈ１、ＩＰＰｈ２  ＩＰ電話
ＩＰＡＤＰ１、ＩＰＡＤＰ２  ＩＰ電話アダプタ
Ｐｈ１、Ｐｈ２  電話装置
ＩＰＬ１、ＩＰＬ２  専用線
ＧＷ  ゲートウェイ
ＰＳＴＮ  公衆電話網
ＫＩＰＰｈＳ  最寄りの緊急連絡先ＩＰ電話
ＫＩＰＡＤＰ  ＩＰ電話アダプタ
ＫＰｈ  通常電話
ＫＧＷ  ゲートウェイ
ＫＩＰＰｈ  ＩＰ電話装置
１１  電話インターフェース
１２  ＣＰＵ
１３  ＲＡＭ
１４  ＲＯＭ
１５  通信部
１６  バスライン
【図１】
2006157160.tif 000003
【図２】
2006157160.tif 000004
【図３】
2006157160.tif 000005